(57)【特許請求の範囲】
【請求項１】
筺体内に乾電池を収容する乾電池収容構造であって、
スイッチをＯＮ／ＯＦＦする押釦と、当該押釦の押し込み方向に対して垂直な方向において隣接し前記乾電池を支持する支持部材とを弾性材によって一体に形成し、前記押釦と前記支持部材との間を仕切る溝を設けたラバーキー部材を前記筐体内に備え、
前記支持部材は、前記乾電池の長手方向において互いに対向するように一対設けられ、これら一対の支持部材に、乾電池の周部を支持する円弧状に形成した支持部を設け、
前記一対の支持部材は、各支持部側が前記乾電池の長手方向において互いに離間するように同じ角度だけ傾斜している
ことを特徴とする乾電池収容構造。
【請求項２】
前記ラバーキー部材に、透光性を有する弾性材によって導光部材を一体に形成したことを特徴とする請求項１記載の乾電池収容構造。
【発明の詳細な説明】
【技術分野】
【０００１】
本発明は、各種電子機器の筺体内に収容される乾電池の収容構造に関するものである。
【背景技術】
【０００２】
この種の乾電池は、外周部に絶縁のためのフィルムが巻かれたり、電極部から引き出したリード線を外周部に這わせたりすることにより、外周部の径にばらつきが生じるため、乾電池を収容する収容部の断面積が乾電池の断面積よりもわずかに大きく形成されている。したがって、収容される乾電池が乾電池収容部内において遊動しないようにクッション材等を設けるようにしている。
【０００３】
例えば、特許文献１には、円筒状に形成された乾電池を収容する収容部を備え、この収容部の開口部を閉じる蓋の裏面にクッション材を貼着し、このクッション材を介して蓋と収容部の底部とによって乾電池を弾持し、外部からの衝撃等に対しても乾電池が収容部内で遊動しないしようにした乾電池収容構造が記載されている。
【先行技術文献】
【特許文献】
【０００４】
【特許文献１】特開２００３−３４６７５１号公報
【発明の概要】
【発明が解決しようとする課題】
【０００５】
上述したような従来の乾電池収容構造においては、クッション材が必要になるだけでなく、クッション材を蓋に貼着する作業が必要になるため、部品点数が増加するとともに組付工数も増加するという問題があった。
【０００６】
本発明は上記した従来の問題に鑑みなされたものであり、その目的とするところは、部品点数を削減するとともに、組付工数を削減するところにある。
【課題を解決するための手段】
【０００７】
この目的を達成するために、本発明は、筺体内に乾電池を収容する乾電池収容構造であって、スイッチをＯＮ／ＯＦＦする押釦と、当該押釦の押し込み方向に対して垂直な方向において隣接し前記乾電池を支持する支持部材とを弾性材によって一体に形成し、前記押釦と前記支持部材との間を仕切る溝を設けたラバーキー部材を前記筐体内に備え、前記支持部材は、前記乾電池の長手方向において互いに対向するように一対設けられ、これら一対の支持部材に、乾電池の周部を支持する円弧状に形成した支持部を設け、前記一対の支持部材は、各支持部側が前記乾電池の長手方向において互いに離間するように同じ角度だけ傾斜しているものである。
【０００９】
本発明は、前記発明のいずれか一つの発明において、前記ラバーキー部材に、透光性を有する弾性材によって導光部材を一体に形成したものである。
【発明の効果】
【００１０】
本発明によれば、乾電池を支持する支持部材と押釦と一体に形成したラバーキー部材を備えたことにより、押釦と支持部材とを個別に設ける必要がなくなるため、部品点数が削減されるとともに、押釦と支持部材とを一度に組み付けることができるため組付工数が削減される。また、ラバーキー部材に押釦と支持部材との間を仕切る溝を設けたことにより、押釦を押圧操作するとき押釦が支持部材と関係なく独立して移動するため、押釦の押圧操作に随伴して支持部材が弾性変形するようなことがない。このため、支持部材に支持されている乾電池が同じ位置に保たれるから、乾電池が支持部材から脱落したり、乾電池の電極部における電気的な接触不良の発生を規制することができる。同様に、乾電池を支持部材に支持させるときや、乾電池に外部から振動等が加えられることにより支持部材が弾性変形したとしても、この支持部材の弾性変形に随伴して押釦が移動するようなことがないから、誤ってスイッチがＯＮするようなことがない。
【００１１】
前記発明のうちの一つの発明によれば、乾電池を支持する支持部の表面積が増大することにより乾電池の支持が安定する。
【００１２】
前記発明のうちの一つの発明によれば、導光部材を専用に設ける必要がなくなるため部品点数が削減されるとともに、導光部材を組み付ける組付工数が削減される。
【図面の簡単な説明】
【００１３】
【図１】本発明に係る乾電池収容構造を採用した電子機器の正面図である。
【図２】本発明に係る乾電池収容構造を採用した電子機器の背面図である。
【図３】本発明に係る乾電池収容構造を採用した電子機器の背面側から視た分解斜視図である。
【図４】図２におけるIV-IV 線断面図である。
【図５】図２におけるV-V 線断面図である。
【図６】本発明に係る乾電池収容構造におけるラバーキー部材の背面図である。
【図７】図６におけるVII 矢視図である。
【図８】本発明に係る乾電池収容構造におけるラバーキー部材の正面側から視た斜視図である。
【発明を実施するための形態】
【００１４】
以下、本発明の実施の形態を図１ないし図８に基づいて説明する。
【００１５】
図３において全体を符号１で示す電子機器は、共に一面に開口を有しプラスチックによって浅底状に形成されたリアケース２およびフロントケース３と、これら両ケース２，３によって形成される筺体内に収容される乾電池４、プリント配線板５、ラバーキー部材６とによって構成されている。
【００１６】
リアケース２の底部２１の矢印Ａ方向の端部には、乾電池４の周部の曲率よりもわずかに大きい曲率によって断面が湾曲状に膨出形成された電池押え部２２が矢印Ｃ−Ｄ方向に延在するように設けられている。また、リアケース２の底部２１の矢印Ｂ方向の端部には、底部に後述するねじ７１が挿通されるねじ挿通孔が形成された一対の凹部２３，２３が矢印Ｃ−Ｄ方向の両端部に設けられている。
【００１７】
フロントケース３の底部３１の中央部には、円形の釦窓３２が設けられ、この釦窓３２の裏面側の周縁には、図４に示すように後述する押釦６４を載置する平面視がリング状に形成された載置片３３が一体に立設されている。この載置片３３の外周部には、図４に示すように後述するラバーキー部材６の円筒体６１に係合する平面視が半円状に形成された係合片３４がフロントケース３の底部３１に一体に立設されている。
【００１８】
フロントケース３の底部３１の矢印Ｂ方向の端部には、ねじ７１，７１がねじ込まれる一対のスタッド３５，３５が矢印Ｃ−Ｄ方向の両端部に一体に立設されている。また、フロントケース３の底部３１の矢印Ａ方向の端部には、矢印Ｃ−Ｄ方向において離間し互いに対向するように一体に立設された一対の位置決め用リブ３６，３６が設けられている。図１において、３７はランプ孔であって、このランプ孔３７の裏面側の端縁には、図３に示すように略円筒状に形成された不透光な材料によって形成されたホルダー３７ａが一体に立設されている。
【００１９】
乾電池４は細長い円柱状に形成されており、一方の端部に正極側の電極部４１が突設され、他方の端部に負極側の電極部（図示せず）が設けられている。
【００２０】
プリント配線板５の矢印Ｂ方向の端部には、図３に示すようにねじ７１，７１が挿通される半円形に形成された一対の切欠き５１，５１が矢印Ｃ−Ｄ方向の両端部に設けられている。５２はプリント配線板５の矢印Ａ方向かつ矢印Ｄ方向の端部の裏面に搭載された光源としてのＬＥＤであって、後述するようにプリント配線板５がフロントケース３に取り付けられることにより、ラバーキー部材６の後述する光拡散部６７内に収容される。５３はプリント配線板５の裏面の略中央部に搭載されたタクトスイッチであって、押釦６４の作動突起６４ａの押圧によってＯＮとなる。
【００２１】
図３および図８に示すように、ラバーキー部材６は、矢印Ｂ方向側に設けられた偏平な円筒状の円筒体６１と、矢印Ａ方向側に設けられた枠状の枠体６２と、これら円筒体６１と枠体６２とを連結する連結体６３とがゴム等の弾性材によって一体に形成されている。連結体６３には、円筒体６１と枠体６２との間を仕切るように矢印Ｃ−Ｄ方向に延在する溝６３ａが設けられており、この溝６３ａによって、後述するように押釦６４を矢印Ｅ方向に押圧操作したときに、これに随伴して枠体６２が弾性変形しないように構成されている。同様に、枠体６２の支持部材６５，６５が弾性変形しても、これに随伴して押釦６４が移動しないように構成されている。
【００２２】
円筒体６１の中央部には、図４に示すように厚みの薄いスカート状に形成されたヒンジ６１ａを介して偏平な円柱状に形成された押釦６４が円筒体６１と一体に設けられており、この押釦６４の表面の中央部に作動突起６４ａが一体に突設されている。
【００２３】
枠体６２は、図６および図８に示すように４本の枠部材６２ａないし６２ｄによって平面視が矩形状に形成されており、互いに対向する枠部材６２ｂ，６２ｄ間に掛け渡されるようにして矢印Ｅ方向に立設された一対の支持部材６５，６５が矢印Ｃ−Ｄ方向、すなわちこれら支持部材６５，６５に支持される乾電池４の長手方向において離間し互いに対向している。これら支持部材６５，６５の矢印Ｅ方向の端部には、乾電池４の周部を支持する断面円弧状の支持部６５ａが設けられており、これら支持部材６５，６５は、各支持部６５ａ，６５ａ側が乾電池４の長手方向（矢印Ｃ−Ｄ方向）において互いに離間するように同じ角度だけ傾斜している。
【００２４】
また、枠部材６２ｂ，６２ｄには、支持部材６５，６５の互いに対向する側と反対側を支承する支承部材６６ａ，６６ｂが矢印Ｅ方向に一体に立設されている。これら支承部材６６ａ，６６ｂは、支持部材６５，６５の支持部６５ａ，６５ａに乾電池４が支持されたときに、支持部材６５，６５を支承し、支持部材６５，６５の矢印Ｃ方向または矢印Ｄ方向への必要以上の弾性変形を規制する。互いに対向する枠部材６２ａ，６２ｃ間の間隔は、図５に示すようにこれら枠部材６２ａ，６２ｃが上記したフロントケース３の位置決め用リブ３６，３６を挟んで係合するように設定されている。
【００２５】
図３において、６７は連結体６３に連設された有底円筒状に形成されＬＥＤ５２を収容するための導光部材であって、透光性を有する乳白色のゴム状の弾性材によって、透光性を有さないゴム状の弾性材によって形成される円筒体６１、枠体６２、連結体６３と一体に形成かつ同時に成形加工される。この導光部材６７内にはプリント配線板５のＬＥＤ５２が収容され、後述するようにラバーキー部材６をフロントケース３に組み付けることにより、ホルダー３７ａに嵌合され、底部６７ａ（図８参照）がフロントケース３のランプ孔３７に臨む。
【００２６】
次に、図３ないし図５を用いて、このように構成された電子機器１の組立方法について説明する。先ず、図３に示すようにフロントケース３の釦窓３２にラバーキー部材６の押釦６４を嵌合させ、ホルダー３７ａに導光部材６７を嵌合させるように、ラバーキー部材６をフロントケース３の底部３１上に載置する。この状態で、図４に示すように押釦６４が載置片３３に載置され、円筒体６１が係合片３４に係合するため、ラバーキー部材６の矢印Ｂ方向への移動が規制される。同時に、枠体６２の枠部材６２ａ，６２ｃが、図５に示すようにフロントケース３の位置決め用リブ３６，３６に係合するため、ラバーキー部材６の矢印Ｃ−Ｄ方向への移動が規制される。
【００２７】
次いで、乾電池４をラバーキー部材６の支持部材６５，６５の支持部６５ａ，６５ａ上に載置する。また、プリント配線板５のＬＥＤ５２をラバーキー部材６の導光部材６７内に臨ませるようにして、プリント配線板５をラバーキー部材６上に載置し、プリント配線板５の切欠き５１，５１をフロントケース３のスタッド３５，３５に位置合わせする。
【００２８】
この状態で、リアケース２とフロントケース３との互いの開口端を突き合わせるように、リアケース２をフロントケース３に被せることにより互いの開口面を閉じる。次いで、ねじ７１，７１を、リアケース２の凹部２３，２３のねじ挿通孔からプリント配線板５の切欠き５１，５１に挿通させ、フロントケース３のスタッド３５，３５に螺合させることにより、両ケース２，３が結合され密閉された筺体が形成される。
【００２９】
この状態で、図４に示すように乾電池４がリアケース２の電池押え部２２とラバーキー部材６の支持部材６５とによって弾持される。このとき、乾電池４の外周部の径にばらつきがあったとしても、支持部材６５が弾性変形することによりばらつきが吸収されるため、乾電池４が電池押え部２２と支持部材６５とによって確実に弾持される。また、支持部材６５，６５は、各支持部６５ａ側が乾電池４の長手方向（矢印Ｃ−Ｄ方向）において互いに離間するように傾斜しているため、乾電池４を支持する支持部６５ａの表面積が増大することにより、乾電池４の支持が安定する。
【００３０】
さらに、支持部材６５を支承する支承部材６６ａ，６６ｂを設けたことにより、電子機器１に大きな外力が加わったとしても、乾電池４が位置ずれを起こしたりするようなことがないから乾電池４の正極側の電極部４１や負極側の電極部における接触不良の発生を防止できる。また、ラバーキー部材６に透光性を有する乳白色のゴム状の弾性材によって導光部材６７を一体に形成したことにより、導光部材６７を個別に設ける必要がなくなるため部品点数が削減されるとともに、導光部材６７を組み付ける組付工数が削減される。
【００３１】
また、両ケース２，３が結合され密閉された筺体が形成されると、プリント配線板５のタクトスイッチ５３にラバーキー部材６の押釦６４の作動突起６４ａが対向する。釦窓３２に臨む押釦６４を指によって矢印Ｅ方向に押圧操作することにより、ヒンジ６１ａが弾性変形し、作動突起６４によってタクトスイッチ５３がＯＮとなる。
【００３２】
このとき、押釦６４とヒンジ６１ａを介して連結されている円筒体６１と支持部材６５を形成している枠体６２との間に溝６３ａが設けられていることにより、押釦６４が枠体６２の支持部材６５と関係なく独立して移動する。このため、押釦６４の矢印Ｅ方向への押圧操作により支持部材６５が弾性変形するようなことがないから、支持部材６５に支持されている乾電池４が同じ位置に保たれ、乾電池４が支持部材６５から脱落したり、乾電池４の正極側の電極部４１や負極側の電極部における接触不良の発生を防止できる。
【００３３】
同様に、乾電池４を支持部材６５に支持させるときや、電子機器１に外力が加えられることにより乾電池４に振動等が加えられ支持部材６５が弾性変形したとしても、この支持部材６５の弾性変形に随伴して押釦６４が移動するようなことがないから、誤ってタクトスイッチ５３がＯＮするようなことがない。
【符号の説明】
【００３４】
１…電子機器、２…リアケース、３…フロントケース、４…乾電池、５…プリント配線板、６…ラバーキー部材、２２…電池押え部、５２…ＬＥＤ、５３…タクトスイッチ、６１…円筒体、６２…枠体、６３…連結体、６４…押釦、６５…支持部材、６５ａ…支持部、６６ａ，６６ｂ…支承部材、６７…導光部材。
【図１】
0005515880.tif 000002
【図２】
0005515880.tif 000003
【図３】
0005515880.tif 000004
【図４】
0005515880.tif 000005
【図５】
0005515880.tif 000006
【図６】
0005515880.tif 000007
【図７】
0005515880.tif 000008
【図８】
0005515880.tif 000009